(57)【要約】【課題】複数の調湿ユニットの一部を休止させる運転中において、休止側となる調湿回路での冷媒の寝込みを防止すると共に、吸着熱交換器の近傍での凝縮水の発生も防止する。【解決手段】複数の調湿ユニット（10）の１台以上で調湿動作を行い、１台以上で調湿動作を休止させる共存運転中には、休止中の調湿ユニット（10）に対応する切換機構（54,56）を第１状態と第２状態との間で交互に切り換えるようにする。【選択図】図２
2010071592.tif 000002
【特許請求の範囲】
【請求項１】
冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、
上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（54,56）がそれぞれ設けられ、
上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムであって、
上記複数の調湿ユニット（10）のうちの１台以上が上記調湿動作を行い１台以上が該調湿動作を休止する共存運転時に、休止中の調湿ユニット（10）の切換機構（54,56）を上記第１状態と第２状態との間で交互に切り換える制御手段（90）を備えていることを特徴とする調湿システム。
【請求項２】
請求項１において、
上記制御手段（90）は、上記共存運転時に休止中の調湿ユニット（10）の膨張弁（55）を全閉とすることを特徴とする調湿システム。
【請求項３】
冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、
上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（54,56）がそれぞれ設けられ、
上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムであって、
上記各調湿回路（50）には、該調湿回路（50）と熱源回路（60）の高圧側とを断続させる開閉機構（58a,58b,58c,58d）がそれぞれ設けられ、
上記複数の調湿ユニット（10）のうちの１台以上が上記調湿動作を行い１台以上が該調湿動作を休止する共存運転時に、休止中の調湿ユニット（10）の調湿回路（50）と熱源回路（60）の高圧側とを遮断するように、対応する開閉機構（58a,58b,58c,58d）を閉鎖する制御手段（90）を備えていることを特徴とする調湿システム。
【請求項４】
請求項３において、
上記切換機構（56）は、上記第１吸着熱交換器（51）の一端側と上記熱源回路（60）の高圧側と上記第２吸着熱交換器（52）の一端側と上記熱源回路（60）の低圧側とをブリッジ状に繋ぐ４本のブリッジ配管（57a,57b,57c,57d）と、該４本のブリッジ配管（557a,57b,57c,57d）にそれぞれ設けられるブリッジ開閉弁（58a,58b,58c,58d）とで構成されており、
上記制御手段（90）は、上記共存運転時に休止中の調湿ユニット（10）のブリッジ開閉弁（58a,58b,58c,58d）を上記開閉機構として閉鎖することを特徴とする調湿システム。
【請求項５】
請求項３又は４において、
上記制御手段（90）は、上記共存運転時に休止中の調湿ユニット（10）の膨張弁（55）を開放させることを特徴とする調湿システム。
【請求項６】
冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、
上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（57,56）がそれぞれ設けられ、
上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムであって、
上記各調湿回路（50）には、熱源回路（60）の高圧側から流入した冷媒を上記膨張弁（55）をバイパスさせて熱源回路（60）の低圧側へ送るバイパス回路（67）と、該バイパス回路（67）を開閉するバイパス開閉弁（68）とがそれぞれ設けられ、
上記複数の調湿ユニット（10）のうちの１台以上が上記調湿動作を行い１台以上が該調湿動作を休止する共存運転時に、休止中の調湿ユニット（10）の膨張弁（55）を閉鎖して該調湿ユニット（10）のバイパス開閉弁（68）を開放させる制御手段（90）を備えていることを特徴とする調湿システム。
【請求項７】
請求項６において、
上記バイパス回路（67）には、キャピラリーチューブ（69）が設けられていることを特徴とする調湿システム。
【発明の詳細な説明】
【技術分野】
【０００１】
本発明は、冷媒回路に接続された吸着熱交換器で空気の湿度を調節する調湿システムに関するものである。
【背景技術】
【０００２】
従来より、室外空気や室内空気を調湿し、調湿後の空気を室内へ供給する調湿システムが知られている。例えば特許文献１には、吸着熱交換器を有する複数の調湿ユニットを備えた調湿システムが開示されている。
【０００３】
この調湿システムは、冷媒が循環して冷凍サイクルが行われる冷媒回路を有している。冷媒回路は、圧縮機が接続される熱源回路と、該熱源回路に並列に接続される複数の調湿回路とによって構成されている。各調湿回路には、第１吸着熱交換器と、第２吸着熱交換器と、膨張弁と、四方切換弁とが接続されている。吸着熱交換器は、熱交換器の表面に吸着剤が担持されて構成されている。各調湿回路は、異なる調湿ユニットにそれぞれ収容されている。
【０００４】
調湿システムの冷媒回路では、各調湿回路の四方切換弁の設定が第１状態と第２状態とに切り換わる。具体的に、各調湿回路において、四方切換弁が第１状態となると、熱源回路の高圧側と第１吸着熱交換器とが繋がり、熱源回路の低圧側と第２吸着熱交換器とが繋がる。この状態では、圧縮機で圧縮された高圧冷媒が、各調湿回路へ分流してから第１吸着熱交換器で凝縮する。凝縮後の冷媒は、膨張弁で減圧された後、第２吸着熱交換器で蒸発する。蒸発後の冷媒は、熱源回路で合流して圧縮機へ再び吸入される。以上のような動作（第１動作）により、各調湿ユニットでは、第１吸着熱交換器の吸着剤が冷媒に加熱されて再生される一方、第２吸着熱交換器の吸着剤が冷媒に冷却され、この吸着剤に空気中の水分が吸着される。
【０００５】
また、四方切換弁が第２状態となると、熱源回路の高圧側と第２吸着熱交換器とが繋がり、熱源回路の低圧側と第１吸着熱交換器とが繋がる。この状態では、圧縮機で圧縮された高圧冷媒が、各調湿回路へ分流してから第２吸着熱交換器で凝縮する。凝縮後の冷媒は、膨張弁で減圧された後、第１吸着熱交換器で蒸発する。蒸発後の冷媒は、熱源回路で合流して圧縮機へ再び吸入される。以上のような動作（第２動作）により、各調湿ユニットでは、第２吸着熱交換器の吸着剤が冷媒に加熱されて再生される一方、第１吸着熱交換器の吸着剤が冷媒に冷却され、この吸着剤に空気中の水分が吸着される。
【０００６】
この調湿システムでは、上記の第１動作と第２動作とが各調湿ユニットで交互に繰り返し行われる。これにより、この調湿システムでは、各調湿ユニットにおいて、連続的な除湿運転や加湿運転が可能となっている。
【特許文献１】特開２００５−２８３０５３号公報
【発明の開示】
【発明が解決しようとする課題】
【０００７】
ところで、特許文献１に開示されているような調湿システムでは、複数の調湿ユニットのうちの一部の調湿ユニットで空気の調湿動作を行い、一部の調湿ユニットを休止させる運転を行うこともある。このような運転では、休止させる調湿ユニットにおいて、例えば一般的なマルチ式の空調機と同様にして、調湿回路の膨張弁を全閉とすることが考えられる。しかしながら、このように膨張弁を全閉とすると、吸着熱交換器で凝縮した冷媒が液状態となって吸着熱交換器の内部に溜まり込んでしまう、いわゆる冷媒の寝込みが生じてしまう。その結果、調湿動作中の調湿回路へ供給される冷媒の量が不足してしまい、吸着剤の再生能力や吸着能力が低下してしまう虞がある。
【０００８】
一方、休止側の調湿回路での冷媒の寝込みを防止するために、膨張弁を僅かに開放させて、いわゆる微小開度とすることも考えられる。これにより、休止側の調湿回路の冷媒を圧縮機の吸入側へ送ることができ、冷媒の寝込みを未然に回避できる。しかしながら、このようにすると、膨張弁を通過した後の冷媒が、吸着熱交換器で空気から吸熱して蒸発してしまう。このような状態が継続すると、吸着熱交換器の周囲の空気が露点温度以下まで冷やされてしまい、吸着熱交換器の近傍で凝縮水が発生してしまうことがある。
【０００９】
ここで、吸着熱交換器で空気を調湿する調湿ユニットでは、吸着熱交換器で空気を積極的に冷却するものではなく、更には吸着剤に水分を吸着させることができるので、一般的な空調機のように、吸着熱交換器の近傍にドレンパンを設置する必要性が低い。従って、ドレンパンを省いた調湿ユニットを構成するためにも、休止中の吸着熱交換器の近傍での凝縮水の発生を確実に防止できるようにすることが望まれる。
【００１０】
本発明は、かかる点に鑑みてなされたものであり、その目的は、複数の調湿ユニットの一部を休止させる運転中において、休止側となる調湿回路での冷媒の寝込みを防止すると共に、吸着熱交換器の近傍での凝縮水の発生も防止することである。
【課題を解決するための手段】
【００１１】
第１の発明は、冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（54）がそれぞれ設けられ、上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムを対象とする。そして、この調湿システムは、上記複数の調湿ユニット（10）のうちの１台以上が上記調湿動作を行い１台以上が該調湿動作を休止する共存運転時に、休止中の調湿ユニット（10）の切換機構（54,56）を上記第１状態と第２状態との間で交互に切り換える制御手段（90）を備えていることを特徴とする。
【００１２】
第１の発明の調湿システムでは、複数の調湿ユニット（10）で調湿動作が可能となっている。具体的には、例えば各調湿回路（50）の切換機構（54,56）が第１状態となって圧縮機（53）が運転されると、圧縮機（53）の吐出冷媒（高圧冷媒）は、熱源回路（60）から各調湿回路（50）へ分流して第１吸着熱交換器（51）で凝縮（放熱）する。凝縮後の冷媒は、膨張弁（55）で減圧された後に第２吸着熱交換器（52）で蒸発する。蒸発後の冷媒は、熱源回路（60）で合流して圧縮機（53）に吸入される。また、例えば各調湿回路（50）の切換機構（54,56）が第２状態となって圧縮機（53）が運転されると、圧縮機（53）の吐出冷媒（高圧冷媒）は、熱源回路（60）から各調湿回路（50）へ分流して第２吸着熱交換器（52）で凝縮（放熱）する。凝縮後の冷媒は、膨張弁（55）で減圧された後に第１吸着熱交換器（51）で蒸発する。蒸発後の冷媒は、熱源回路（60）で合流して圧縮機（53）に吸入される。
【００１３】
以上のように、各調湿ユニット（10）では、２つの吸着熱交換器（51,52）の吸着剤が冷媒によって加熱又は冷却される。例えば冷媒によってされた吸着熱交換器を空気が通過すると、空気中の水分が吸着剤に吸着される。これにより、空気の除湿が行われる。また、例えば冷媒によって加熱された吸着熱交換器を空気が通過すると、吸着剤の水分が空気中へ放出される。これにより、空気の加湿が行われる。
【００１４】
本発明では、複数の調湿ユニット（10）のうちの１台以上が調湿動作を行い、１台以上が調湿動作を休止する共存運転時において、制御手段（90）は、休止中の調湿ユニット（10）の切換機構（54,56）を第１状態と第２状態との間で交互に切り換える。これにより、休止中の調湿回路（50）では、冷媒の寝込み、及び吸着熱交換器（51,52）の近傍での凝縮水の発生を防止することができる。
【００１５】
より詳細には、共存運転中において、例えば切換機構（54,56）が第１状態となっている場合、高圧冷媒が第１吸着熱交換器（51）で凝縮して溜まり易くなる。しかしながら、切換機構（54,56）が第２状態に切り換えられることで、第１吸着熱交換器（51）内の冷媒は、熱源回路（60）の低圧側に送られ、圧縮機（53）に吸入される。従って、第１吸着熱交換器（51）での冷媒の寝込みが未然に回避される。また、切換機構（54,56）が第２状態となっている場合、高圧冷媒が第２吸着熱交換器（52）で凝縮して溜まりやすくなる。しかしながら、切換機構（54,56）が第１状態に切り換えられることで、第２吸着熱交換器（52）内の冷媒は、熱源回路（60）の低圧側に送られ、圧縮機（53）に吸入される。従って、第２吸着熱交換器（52）での冷媒の寝込みも未然に回避される。
【００１６】
また、このように切換機構（54,56）が第１状態と第２状態との間で交互に切り換えられると、両者の吸着熱交換器（51,52）へ高圧の冷媒が適宜供給されることになる。このため、吸着熱交換器（51,52）の周囲温度が低くなり過ぎることが回避される。その結果、吸着熱交換器（51,52）の近傍で凝縮水が発生してしまうことも防止される。
【００１７】
第２の発明は、第１の発明において、上記制御手段（90）は、上記共存運転時に休止中の調湿ユニット（10）の膨張弁（55）を全閉とすることを特徴とする。
【００１８】
第２の発明では、休止中の調湿ユニット（10）の膨張弁（55）が全閉となる。このため、例えば切換機構（54,56）が第１状態である場合に、第１吸着熱交換器（51）を流れた高圧冷媒が、膨張弁（55）で減圧されて第２吸着熱交換器（52）へ送られることを確実に回避できる。同様に、切換機構（54,56）が第２状態である場合に、第２吸着熱交換器（52）を流れた高圧冷媒が、膨張弁（55）で減圧されて第１吸着熱交換器（51）へ送られることを確実に回避できる。従って、両者の吸着熱交換器（51,52）の周囲温度が低くなり過ぎることが回避され、吸着熱交換器（51,52）の近傍で凝縮水が発生してしまうことが確実に防止される。
【００１９】
第３の発明は、冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（54,56）がそれぞれ設けられ、上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムを対象とする。そして、この調湿システムは、上記各調湿回路（50）には、該調湿回路（50）と熱源回路（60）の高圧側とを断続させる開閉機構（58a,58b,58c,58d）がそれぞれ設けられ、上記複数の調湿ユニット（10）のうちの１台以上が上記調湿動作を行い１台以上が該調湿動作を休止する共存運転時に、休止中の調湿ユニット（10）の調湿回路（50）と熱源回路（60）の高圧側とを遮断するように、対応する開閉機構（58a,58b,58c,58d）を閉鎖する制御手段（90）を備えていることを特徴とする。
【００２０】
第３の発明は、上記第１の発明と同様の調湿システムを対象とする。本発明では、共存運転中において、休止中の調湿回路（50）に対応する開閉機構（58a,58b,58c,58d）が閉鎖される。その結果、熱源回路（60）の高圧側と休止中の調湿回路（50）とが遮断される。このため、圧縮機（53）で圧縮された高圧冷媒は、調湿動作中の調湿回路（50）にのみ送られ、休止中の調湿回路（50）へ送られることがない。従って、休止中の調湿回路（50）での冷媒の寝込みが防止される共に、この調湿回路（50）の吸着熱交換器（51,52）の近傍で凝縮水が発生してしまうことも防止される。
【００２１】
第４の発明は、第３の発明において、切換機構（56）が、上記第１吸着熱交換器（51）の一端側と上記熱源回路（60）の高圧側と上記第２吸着熱交換器（52）の一端側と上記熱源回路（60）の低圧側とをブリッジ状に繋ぐ４本のブリッジ配管（57a,57b,57c,57d）と、該４本のブリッジ配管（57a,57b,57c,57d）にそれぞれ設けられるブリッジ開閉弁（58a,58b,58c,58d）とで構成されており、上記制御手段（90）は、上記共存運転時に休止中の調湿ユニット（10）のブリッジ開閉弁（58a,58b,58c,58d）を上記開閉機構として閉鎖することを特徴とする。
【００２２】
第４の発明では、切換機構（56）が、４本のブリッジ配管（57a,57b,57c,57d）と各ブリッジ配管（57a,57b,57c,57d）に設けられるブリッジ開閉弁（58a,58b,58c,58d）によって構成される。本発明の切換機構（56）は、各ブリッジ開閉弁（58a,58b,58c,58d）を開閉させることで第１状態と第２状態とに切り換わる。即ち、第１状態の切換機構（56）では、熱源回路（60）の高圧側と第１吸着熱交換器（51）の一端側とのブリッジ開閉弁（58a）が開放されると同時に熱源回路（60）の低圧側と第２吸着熱交換器（52）の一端側との間のブリッジ開閉弁（58c）が開放され、残りの２つのブリッジ開閉弁（58b,58d）が閉鎖される。また、第２状態の切換機構（56）では、熱源回路（60）の高圧側と第２吸着熱交換器（52）の一端側との間のブリッジ開閉弁（58d）が開放されると同時に熱源回路（60）の低圧側と第１吸着熱交換器（51）の一端側との間のブリッジ開閉弁（58b）が開放され、残りの２つのブリッジ開閉弁（58a,58c）が閉鎖される。
【００２３】
このような本発明の切換機構（56）のブリッジ開閉弁（58a,58b,58c,58d）は、休止中の調湿回路（50）と熱源回路（60）の高圧側とを遮断する開閉機構を兼ねている。つまり、制御手段（90）は、共存運転中において、熱源回路（60）の高圧側と調湿回路（50）とを遮断するように、ブリッジ開閉弁（58a,58b,58c,58d）を閉鎖させる。その結果、圧縮機（53）で圧縮された高圧冷媒は、調湿動作中の調湿回路（50）にのみ送られ、休止中の調湿回路（50）へ送られることがない。従って、休止中の調湿回路（50）での冷媒の寝込みが防止される共に、この調湿回路（50）の吸着熱交換器（51,52）の近傍で凝縮水が発生してしまうことも防止される。
【００２４】
第５の発明は、第３又は第４の発明において、上記制御手段（90）は、上記共存運転時に休止中の調湿ユニット（10）の膨張弁（55）を開放させることを特徴とする。
【００２５】
第５の発明では、休止中の調湿回路（50）と熱源回路（60）の高圧側とが開閉機構（58a,58b,58c,58d）によって遮断させている状態において、この調湿回路（50）の膨張弁（55）が開放される。これにより、開閉機構（58a,58b,58c,58d）と膨張弁（55）との間に冷媒が封止されることを回避できる。
【００２６】
第６の発明は、冷媒を圧縮する圧縮機（53）が接続される熱源回路（60）と、該熱源回路（60）に並列に接続され且つ第１吸着熱交換器（51）と膨張弁（55）と第２吸着熱交換器（52）とが順に接続される調湿回路（50）をそれぞれ有する複数の調湿ユニット（10）とを備え、上記各調湿回路（50）には、上記熱源回路（60）の高圧側と上記第１吸着熱交換器（51）の一端とを繋いで熱源回路（60）の低圧側と第２吸着熱交換器（52）の一端を繋ぐ第１状態と、熱源回路（60）の高圧側と第２吸着熱交換器（52）の一端を繋いで熱源回路（60）の低圧側と第１吸着熱交換器（51）の一端を繋ぐ第２状態とに切り換わる切換機構（54,56）がそれぞれ設けられ、上記各調湿ユニット（10）では、上記吸着熱交換器（51,52）を流れる冷媒で加熱又は冷却された吸着剤と空気とを接触させて該空気を調湿し、調湿後の空気を室内へ供給する調湿動作がそれぞれ行われる調湿システムを対象とする。そして、この調湿システムは、上記各調湿回路（50）には、熱源回路（60）の高圧側から流入した冷媒を上記膨張弁（55）をバイパスさせて熱源回路（60）の低圧側へ送るバイパス回路（67）と、該バイパス回路（67）を開閉するバイパス開閉弁（68）とがそれぞれ設けられ、上記複数の調湿ユニット（10）のうちの１台以上が上記調湿動作を行い１台以上が該調湿動作を休止する共存運転時に、休止中の調湿ユニット（10）の膨張弁（55）を閉鎖して該調湿ユニット（10）のバイパス開閉弁（68）を開放させる制御手段（90）を備えていることを特徴とする。
【００２７】
第６の発明は、上記第１の発明や第３の発明と同様の調湿システムを対象とする。本発明では、各調湿回路（50）にバイパス回路（67）とバイパス開閉弁（68）とが設けられる。共存運転時には、休止中の調湿回路（50）の膨張弁（55）が閉鎖状態となり、且つバイパス回路（67）のバイパス開閉弁（68）が開放状態となる。これにより、熱源回路（60）の高圧冷媒が、休止中の調湿回路（50）に流入しても、この冷媒は膨張弁（55）をバイパスして熱源回路（60）の低圧側へ返送される。このため、調湿回路（50）では、冷媒の寝込みが防止される。また、冷媒は膨張弁（55）で減圧されて吸着熱交換器（51,52）を流れることがないので、吸着熱交換器（51,52）で冷媒が蒸発することもない。このため、吸着熱交換器（51,52）の近傍で凝縮水が発生してしまうことも防止される。
【００２８】
第７の発明は、第６の発明において、上記バイパス回路（67）には、キャピラリーチューブ（69）が設けられていることを特徴とする。
【００２９】
第７の発明では、休止中の調湿回路（50）において、バイパス回路（67）のバイパス開閉弁（68）が開放状態となる場合に、キャピラリーチューブ（69）が、バイパス回路（67）を流れる冷媒に所定の抵抗を付与する。このため、熱源回路（60）の高圧冷媒が、休止中の調湿回路（50）へ多量に送り込まれることが回避される。その結果、調湿動作中の調湿回路（50）へ充分な冷媒を送ることができる。
【発明の効果】
【００３０】
第１の発明では、複数の調湿ユニット（10）の１台以上で調湿動作を行い１台以上を休止させる共存運転中において、休止中の調湿ユニット（10）の切換機構（54,56）を第１状態と第２状態との間で交互に切り換えるようにしている。これにより、本発明では、休止中の調湿ユニット（10）の吸着熱交換器（51,52）に溜まった冷媒を圧縮機（53）に吸入させるができる。従って、調湿動作中の調湿ユニット（10）の調湿回路（50）へ充分に冷媒を送ることができ、吸着熱交換器（51,52）の吸着剤の吸着能力や再生能力を充分に確保できる。その結果、調湿システムでは、共存運転時にも充分な調湿性能を得ることができる。
【００３１】
また、このように切換機構（54,56）を適宜切り換えるようにすることで、両者の吸着熱交換器（51,52）に高圧の冷媒を送ることができ、吸着熱交換器（51,52）の周囲の空気が冷えすぎることを防止できる。その結果、吸着熱交換器（51,52）の近傍での結露水の発生を防止でき、ドレンパン等の結露水対策を省略した構成とすることができる。
【００３２】
特に、第２の発明では、休止中の調湿ユニット（10）の膨張弁（55）を全閉するようにしている。これにより、本発明によれば、休止中の調湿回路（50）において、凝縮後の冷媒が膨張弁（55）を通過して他方の吸着熱交換器（51,52）で蒸発してしまうのを確実に防止でき、吸着熱交換器（51,52）の近傍での結露水の発生を一層確実に防止できる。
【００３３】
また、第３の発明は、共存運転時において、休止中の調湿回路（50）と熱源回路（60）とを開閉機構（58a,58b,58c,58d）によって遮断するようにしている。これにより、本発明によれば、休止中の調湿回路（50）へ冷媒が送り込まれるのを確実に防止できるので、調湿動作中の調湿ユニット（10）へ充分な冷媒を送ることができ、これらの調湿ユニット（10）の調湿性能を確保できる。また、休止中の調湿回路（50）では、吸着熱交換器（51,52）で冷媒が蒸発することも防止できるので、吸着熱交換器（51,52）の近傍での結露水の発生も確実に防止できる。
【００３４】
特に、第４の発明では、開閉機構（58a,58b,58c,58d）によって遮断される調湿回路（50）の膨張弁（55）を開放させている。これにより、開閉機構（58a,58b,58c,58d）と膨張弁（55）との間に冷媒が封止されてしまうのを回避できる。このため、例えば開閉機構（58a,58b,58c,58d）から膨張弁（55）までの間の冷媒配管や吸着熱交換器（51,52）の周囲温度が高くなっても、このラインでの冷媒の圧力が急激に上昇してしまうのを回避できる。
【００３５】
更に、第５の発明では、切換機構（56）として４本のブリッジ配管（57a,57b,57c,57d）とブリッジ開閉弁（58a,58b,58c,58d）を用いるようにし、ブリッジ開閉弁（58a,58b,58c,58d）で上記開閉機構を兼用するようにしている。このため、調湿回路（50）での部品点数を削減することができる。
【００３６】
また、第６の発明では、共存運転時の休止中の調湿回路（50）において、膨張弁（55）をバイパスするバイパス回路（67）のバイパス開閉弁（68）を開放させるようにしている。これにより、本発明によれば、休止中の調湿回路（50）に流入してしまった冷媒をバイパス回路（67）を通じて熱源回路（60）へ戻すことができるので、調湿動作中の調湿ユニット（10）へ充分な冷媒を送ることができる。また、このように冷媒をバイパスさせることで、冷媒が吸着熱交換器（51,52）で蒸発してしまうのを回避でき、結露水の発生も確実に防止できる。特に、第７の発明では、バイパス回路（67）にキャピラリーチューブ（69）を設けているので、休止中の調湿回路（50）へ多量の冷媒が送り込まれるのを確実に防止でき、調湿動作中の調湿ユニット（10）の調湿能力を充分に確保できる。
【発明を実施するための最良の形態】
【００３７】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３８】
《実施形態１》
本実施形態の調湿システム（1）は、複数の調湿ユニット（10）を備えている。各調湿ユニット（10）は、取り込んだ室外空気（OA）の湿度を調節して室内へ供給する。各調湿ユニット（10）は、例えば天井裏に設置される。なお、本実施形態の調湿システム（1）には、３台の調湿ユニット（10）が設けられている。これらの調湿ユニット（10）は、同様の構成となっている。
【００３９】
〈調湿ユニットの全体構成〉
まず、調湿ユニット（10）の構成について、図１を適宜参照しながら説明する。なお、ここでの説明で用いる「上」「下」「左」「右」「前」「後」「手前」「奥」は、特にことわらない限り、調湿ユニット（10）を前面側から見た場合の方向を意味している。
【００４０】
調湿ユニット（10）は、ケーシング（11）を備えている。また、ケーシング（11）内には、詳細は後述する冷媒回路（20）の一部を構成する調湿回路（50）が収容されている。調湿回路（50）には、第１吸着熱交換器（51）、第２吸着熱交換器（52）、四方切換弁（54）、及び電動膨張弁（55）が接続されている。
【００４１】
ケーシング（11）は、やや扁平で高さが比較的低い直方体状に形成されている。ケーシング（11）では、図１における上側の側面（即ち、前面）が前面パネル部（12）となり、下側の側面（即ち、背面）が背面パネル部（13）となっている。また、ケーシング（11）では、図１の平面図における右側の側面が第１側面パネル部（14）となり、左側の側面が第２側面パネル部（15）となっている。
【００４２】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００４３】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００４４】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００４５】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００４６】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００４７】
ケーシング（11）内において、上流側仕切板（71）と背面パネル部（13）の間の空間は、上下２つの空間に仕切られており、下側の空間が外気側通路（34）を構成し、上側の空間が内気側通路（32）を構成している。外気側通路（34）は、外気吸込口（24）と連通し、内気側通路（32）は、内気吸込口（23）と連通している。外気側通路（34）には、外気側フィルタ（28）と第１湿度センサ（97）とが設置されている。内気側通路（32）には、内気側フィルタと第２湿度センサ（96）とが設置されている。
【００４８】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、調湿回路（50）の電動膨張弁（55）が収容されている。
【００４９】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。各吸着熱交換器（51,52）は、空気中の水分を吸着する吸着動作と、吸着した水分を空気中へ放出する再生動作（脱着動作）とが行われる吸着部材を構成している。
【００５０】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００５１】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００５２】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５３】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００５４】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。また、給気ファン室（36）には、調湿回路（50）の四方切換弁（54）が収容されている。
【００５５】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００５６】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００５７】
なお、図２の右側面図及び左側面図では、第１バイパス通路（81）、第２バイパス通路（82）、第１バイパス用ダンパ（83）、及び第２バイパス用ダンパ（84）の図示を省略している。
【００５８】
〈冷媒回路の構成〉
調湿システム（1）は、冷媒が循環して蒸気圧縮式の冷凍サイクルが行われる冷媒回路（20）を備えている。本実施形態の冷媒回路（20）は、熱源回路（60）に３つの調湿回路（50）が並列に接続されて構成されている。
【００５９】
熱源回路（60）には、圧縮機（53）が接続されている。圧縮機（53）は、モータの回転数（即ち、圧縮機容量）が可変な、いわゆるインバータ式の圧縮機で構成されている。また、圧縮機（53）は、例えばスクロール式の圧縮機で構成されている。本実施形態の熱源回路（60）は、調湿ユニット（10）と異なる熱源ユニット（60a）に収容されている。しかしながら、熱源回路（60）を複数の調湿ユニット（10）のいずれかに収容するようにしても良い。
【００６０】
圧縮機（53）の吐出側には、高圧ガス配管（65）の一端が接続している。高圧ガス配管（65）の他端側は、複数に分岐して各調湿回路（50）の流入端と接続している。圧縮機（53）の吸入側には、低圧ガス配管（66）の一端が接続している。低圧ガス配管（66）の他端側は、複数に分岐して各調湿回路（50）の流出端と接続している。
【００６１】
各調湿回路（50）では、上記の第１吸着熱交換器（51）と電動膨張弁（55）と第２吸着熱交換器（52）とが順に接続されている。電動膨張弁（55）は、開度が調節自在な電子膨張弁で構成されている。更に、調湿回路（50）には、切換機構としての上記四方切換弁（54）が設けられている。
【００６２】
四方切換弁（54）は、第１から第４までのポートを有している。四方切換弁（54）の第１ポートは、高圧ガス配管（65）を介して熱源回路（60）の高圧側と繋がり、四方切換弁（54）の第２ポートは、低圧ガス配管（66）を介して熱源回路（60）の低圧側と繋がっている。また、四方切換弁（54）の第３ポートは、第１吸着熱交換器（51）の一端と繋がり、四方切換弁（54）の第４ポートは、第２吸着熱交換器（52）の一端と繋がっている。四方切換弁（54）は、第１のポートと第３のポートとが連通して第２のポートと第４のポートが連通する第１状態と、第１のポートと第４のポートが連通して第２のポートと第３のポートが連通する第２状態とに切換可能となっている。即ち、図２に示す第１状態の四方切換弁（54）は、熱源回路（60）の高圧側と第１吸着熱交換器（51）の一端とを繋いで熱源回路（60）の低圧側と第２吸着熱交換器（52）の一端を繋ぐ。また、図３に示す第２状態の四方切換弁（54）は、熱源回路（60）の高圧側と第２吸着熱交換器（52）とを繋いで熱源回路（60）の低圧側と第１吸着熱交換器（51）とを繋ぐ。
【００６３】
〈コントローラの構成〉
調湿システム（1）は、各調湿ユニット（10）や熱源ユニット（60a）の構成機器を制御する制御手段としてのコントローラ（90）を備えている。実施形態１のコントローラ（90）は、後述する共存運転中において、休止中の調湿ユニット（10）の四方切換弁（54）や電動膨張弁（55）を制御するように構成されている（詳細は後述する）。
【００６４】
−運転動作−
本実施形態の調湿システム（1）の各調湿ユニット（10）は、除湿換気運転と、加湿換気運転と、単純換気運転とを選択的に行う。除湿換気運転中や加湿換気運転中の調湿ユニット（10）では、取り込んだ室外空気（OA）を湿度調節してから供給空気（SA）として室内へ供給する調湿動作が行われ、同時に取り込んだ室内空気（RA）が排出空気（EA）として室外へ排出される。一方、単純換気運転中の各調湿ユニット（10）では、取り込んだ室外空気（OA）がそのまま供給空気（SA）として室内へ供給され、同時に取り込んだ室内空気（RA）がそのまま排出空気（EA）として室外へ排出される。以下、調湿ユニット（10）の各運転について詳細に説明する。
【００６５】
〈除湿換気運転〉
除湿換気運転中の調湿ユニット（10）では、後述する第１動作と第２動作が所定の時間間隔（３分間隔）で交互に繰り返される。つまり、除湿換気運転での２つの動作の１回毎の動作時間Δｔは３分に設定されている。この除湿換気運転中において、第１バイパス用ダンパ（83）及び第２バイパス用ダンパ（84）は、常に閉状態となる。
【００６６】
除湿換気運転中の調湿ユニット（10）では、室外空気が外気吸込口（24）からケーシング（11）内へ第１空気として取り込まれ、室内空気が内気吸込口（23）からケーシング（11）内へ第２空気として取り込まれる。
【００６７】
先ず、除湿換気運転の第１動作について説明する。図４に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、
第１動作中の冷媒回路（20）では、四方切換弁（54）が第１状態（図２に示す状態）に設定され、第１吸着熱交換器（51）が凝縮器となって第２吸着熱交換器（52）が蒸発器となる。
【００６８】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６９】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００７０】
次に、除湿換気運転の第２動作について説明する。図５に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（20）では、四方切換弁（54）が第２状態（図３に示す状態）に設定され、第１吸着熱交換器（51）が蒸発器となって第２吸着熱交換器（52）が凝縮器となる。
【００７１】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００７２】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００７３】
〈加湿換気運転〉
加湿換気運転中の調湿ユニット（10）では、後述する第１動作と第２動作が所定の時間間隔（４分間隔）で交互に繰り返される。つまり、加湿換気運転での２つの動作の１回毎の動作時間Δｔは３分に設定されている。この加湿換気運転中において、第１バイパス用ダンパ（83）及び第２バイパス用ダンパ（84）は、常に閉状態となる。
【００７４】
加湿換気運転中の調湿ユニット（10）では、室外空気が外気吸込口（24）からケーシング（11）内へ第２空気として取り込まれ、室内空気が内気吸込口（23）からケーシング（11）内へ第１空気として取り込まれる。
【００７５】
先ず、加湿換気運転の第１動作について説明する。図６に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（20）では、四方切換弁（54）が第１状態（図２に示す状態）に設定され、第１吸着熱交換器（51）が凝縮器となって第２吸着熱交換器（52）が蒸発器となる。
【００７６】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７７】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７８】
次に、加湿換気運転の第２動作について説明する。図７に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（20）では、四方切換弁（54）が第２状態（図３に示す状態）に設定され、第１吸着熱交換器（51）が蒸発器となって第２吸着熱交換器（52）が凝縮器となる。
【００７９】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００８０】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００８１】
〈単純換気運転〉
単純換気運転中における調湿ユニット（10）の動作について、図８を参照しながら説明する。
【００８２】
単純換気運転中の調湿ユニット（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（20）の圧縮機（53）は停止状態となる。
【００８３】
単純換気運転中の調湿ユニット（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００８４】
また、単純換気運転中の調湿ユニット（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００８５】
〈全部運転及び共存運転について〉
調湿システム（1）では、全ての調湿ユニット（10）で上述した調湿動作（除湿換気運転や加湿換気運転）を行い空気の湿度調節を行う全部運転と、複数の調湿ユニット（10）のうちの１台以上の調湿ユニット（10）で調湿動作を行うと同時に、１台以上の調湿ユニット（10）で調湿動作を休止させる共存運転とが実行可能となっている。全部運転と共存運転における冷媒回路（20）の制御動作について具体例を挙げながら説明する。
【００８６】
図２に示す調湿システム（1）において、全ての調湿ユニット（第１調湿ユニット（10a）、第２調湿ユニット（10b）、及び第３調湿ユニット（10c））で調湿動作を行う全部運転を行うとする。全部運転では、全ての調湿ユニット（10a,10b,10c）の電動膨張弁（55）の開度が所定開度で開放される。また、全ての調湿ユニット（10a,10b,10c）の排気ファン（25）及び給気ファン（26）が運転状態となる。更に、全ての調湿ユニット（10a,10b,10c）の四方切換弁（54）が、所定の間隔（３分又は４分）置きに第１状態と第２状態との間で交互に切り換えられる。
【００８７】
全部運転において圧縮機（53）が運転されると、圧縮機（53）で圧縮された冷媒は、熱源回路（60）から高圧ガス配管（65）に流出し、各調湿ユニット（10a,10b,10c）の調湿回路（50）へ分流する。例えば四方切換弁（54）が第１状態（図２に示す状態）である場合には、各調湿回路（50）に流入した冷媒は、各第１吸着熱交換器（51）で凝縮した後、各電動膨張弁（55）で減圧され、その後に各第２吸着熱交換器（52）で蒸発する。また、例えば四方切換弁（54）が第２状態（図３に示す状態）である場合には、各調湿回路（50）に流入した冷媒は、各第２吸着熱交換器（52）で凝縮した後、各電動膨張弁（55）で減圧され、その後に各第１吸着熱交換器（51）で蒸発する。各調湿回路（50）で蒸発した冷媒は、低圧ガス配管（66）で合流した後、圧縮機（53）に吸入されて再び圧縮される。
【００８８】
また、図２に示す調湿システム（1）において、例えば第１調湿ユニット（10a）と第２調湿ユニット（10b）とで調湿動作を行い、第３調湿ユニット（10c）で調湿動作を行わない共存運転を行うとする。この場合には、調湿動作が行われる第１及び第２調湿ユニット（10a,10b）の電動膨張弁（55）の開度が所定開度で開放され、休止される第３調湿ユニット（10c）の電動膨張弁（55）が全閉状態となる。また、調湿動作が行われる第１及び第２調湿ユニット（10a,10b）の排気ファン（25）及び給気ファン（26）が運転状態となり、休止される第３調湿ユニット（10c）の排気ファン（25）及び給気ファン（26）は停止状態となる。更に、調湿動作が行われる第１及び第２調湿ユニット（10a,10b）の四方切換弁（54）が、所定の間隔ｔ１（３分又は４分）置きに第１状態と第２状態との間で交互に切り換えられる。これに対し、休止される第３調湿ユニット（10c）の四方切換弁（54）は、調湿動作での第１動作と第２動作との切換の間隔（ｔ１）よりも長い間隔ｔ２置きに第１状態と第２状態との間で交互に切り換えられる。この間隔ｔ２は、例えば３０分に設定される。
【００８９】
この例の共存運転において、圧縮機（53）が運転されると、圧縮機（53）で圧縮された冷媒は、熱源回路（60）から高圧ガス配管（65）に流出する。高圧ガス配管（65）へ流出した冷媒は、第１及び第２調湿ユニット（10a,10b）の調湿回路（50）へ送られ、上記の全部運転と同様にして、一方の吸着熱交換器（51,52）で凝縮して他方の吸着熱交換器（52,51）で蒸発する。
【００９０】
これに対し、休止中の第３調湿ユニット（10c）では、電動膨張弁（55）が全閉状態となっている。このため、第３調湿ユニット（10c）の調湿回路（50）へは、ほとんど冷媒が送り込まれない。また、このように電動膨張弁（55）を全閉とすると、第３調湿ユニット（10c）では、一方の吸着熱交換器（51,52）で凝縮した冷媒が、他方の吸着熱交換器（52,51）へ送り込まれない。従って、休止中の第３調湿ユニット（10c）では、吸着熱交換器（51,52）で冷媒が蒸発しない。これにより、吸着熱交換器（51,52）の周囲の空気が露点温度以下まで冷やされることが回避され、吸着熱交換器（51,52）の近傍で結露水が発生してしまうことが防止される。
【００９１】
一方、電動膨張弁（55）を全閉状態とすると、凝縮器となる方の吸着熱交換器（51,52）では、冷媒が液状態となって溜まり込んでいき、いわゆる冷媒の寝込みが生じてしまう。その結果、調湿動作が行われる第１及び第２調湿ユニット（10a,10b）へ送り込まれる冷媒の量が減少していき、これらの調湿ユニット（10a,10b）の吸着熱交換器（51,52）での吸着剤の再生能力や吸着能力が低下してしまう。そこで、本実施形態の調湿システム（1）では、休止中の調湿ユニット（10c）においても、四方切換弁（54）を所定の間隔ｔ２置きに切り換えるようにしている。
【００９２】
具体的には、休止中の第３調湿ユニット（10c）において、例えば四方切換弁（54）が第１状態（図２の状態）であったとする。この状態で電動膨張弁（55）が全閉されると、第１吸着熱交換器（51）に冷媒が徐々に溜まり込んでいく。そこで、四方切換弁（54）が第１状態であった期間がｔ２（例えば３０分）を経過すると、四方切換弁（54）が第２状態（図３の状態）に切り換えられる。その結果、第１吸着熱交換器（51）は、四方切換弁（54）を介して低圧ガス配管（66）と連通する。従って、第１吸着熱交換器（51）内に溜まった冷媒を、低圧ガス配管（66）を介して圧縮機（53）に吸入させることができ、第１吸着熱交換器（51）での冷媒の寝込みを解消できる。
【００９３】
また、このようにして四方切換弁（54）が第２状態（図３の状態）になると、第２吸着熱交換器（52）内に冷媒が徐々に溜まり込んでいく。そこで、四方切換弁（54）が第２状態であった期間がｔ２（例えば３０分）を経過すると、四方切換弁（54）が第１状態（図２の状態）に切り換えられる。その結果、第２吸着熱交換器（52）内に溜まった冷媒を、低圧ガス配管（66）を介して圧縮機（53）に吸入させることができ、第２吸着熱交換器（52）での冷媒の寝込みを解消できる。
【００９４】
−実施形態１の効果−
上記実施形態では、複数の調湿ユニット（10a,10b,10c）の１台以上で調湿動作を行い１台以上を休止させる共存運転中において、コントローラ（90）が、休止中の調湿ユニット（10c）の四方切換弁（54）を第１状態と第２状態との間で交互に切り換えるようにしている。これにより、休止中の調湿ユニット（10c）の吸着熱交換器（51,52）に溜まった冷媒を圧縮機（53）に吸入させるができる。従って、調湿動作中の調湿ユニット（10a,10b）の調湿回路（50）へ充分に冷媒を送ることができ、吸着熱交換器（51,52）の吸着剤の吸着能力や再生能力を充分に確保できる。その結果、調湿システム（1）では、長期間に亘って共存運転を行っても充分な調湿性能を得ることができる。
【００９５】
また、このように四方切換弁（54）を適宜切り換えるようにすることで、両者の吸着熱交換器（51,52）に高圧の冷媒を送ることができ、吸着熱交換器（51,52）の周囲の空気が冷えすぎることを防止できる。その結果、吸着熱交換器（51,52）の近傍での結露水の発生を防止でき、ドレンパン等の結露水対策を省略した構成とすることができる。
【００９６】
特に上記実施形態１では、コントローラ（90）が、休止中の調湿ユニット（10c）の電動膨張弁（55）を全閉するようにしている。これにより、休止中の調湿回路（50）において、凝縮後の冷媒が電動膨張弁（55）を通過して他方の吸着熱交換器（51,52）で蒸発してしまうのを確実に防止でき、吸着熱交換器（51,52）の近傍での結露水の発生を一層確実に防止できる。
【００９７】
更に、上記実施形態１では、休止中の調湿ユニット（10）での四方切換弁（54）の切換の間隔ｔ２を、調湿動作中の調湿ユニット（10）での四方切換弁（54）の切換の間隔ｔ１よりも長くしている。このため、休止中の調湿ユニット（10）では、四方切換弁（54）の切換頻度を少なくすることができる。従って、四方切換弁（54）の耐用年数の長期化を図ることができ、更には四方切換弁（54）の切換動作に伴う騒音の発生頻度も低減できる。
【００９８】
《発明の実施形態２》
本発明の実施形態２について説明する。実施形態２に係る調湿システム（1）は、上記実施形態１と冷媒回路（20）及びコントローラ（90）の構成が異なるものである。
【００９９】
図９に示すように、実施形態２の各調湿回路（50）には、実施形態１の四方切換弁（54）に代わってブリッジユニット（56）が設けられている。ブリッジユニット（56）は、ブリッジ状に接続される４本のブリッジ配管（57a,57b,57c,57d）と、各ブリッジ配管（57a,57b,57c,57d）に設けられるブリッジ開閉弁（58a,58b,58c,58d）とから成り、切換機構を構成している。
【０１００】
具体的には、ブリッジユニット（56）では、第１吸着熱交換器（51）の一端と高圧ガス配管（65）とが第１ブリッジ配管（57a）によって接続され、第１吸着熱交換器（51）の一端と低圧ガス配管（66）とが第２ブリッジ配管（57b）によって接続されている。また、第２吸着熱交換器（52）の一端と高圧ガス配管（65）とが第３ブリッジ配管（57c）によって接続され、第２吸着熱交換器（52）の一端と低圧ガス配管（66）とが第４ブリッジ配管（57d）によって接続されている。また、４つのブリッジ開閉弁（58a,58b,58c,58d）は、それぞれ電磁開閉弁で構成されている。なお、図９及び図１０では、開放状態のブリッジ開閉弁を白塗りで表し、閉鎖状態のブリッジ開閉弁を黒塗りで表すようにしている。
【０１０１】
ブリッジユニット（56）では、第１ブリッジ配管（57a）と第３ブリッジ配管（57c）のブリッジ開閉弁（58a,58c）が開放されると同時に、第２ブリッジ配管（57b）と第４ブリッジ配管（57d）のブリッジ開閉弁（58b,58d）が閉鎖される第１状態（図９の状態）と、第１ブリッジ配管（57a）と第３ブリッジ配管（57c）のブリッジ開閉弁（58a,58c）が閉鎖されると同時に、第２ブリッジ配管（57b）と第４ブリッジ配管（57d）のブリッジ開閉弁（58b,58d）が開放される第２状態（図１０の状態）とに切り換わるように構成されている。即ち、ブリッジユニット（56）が第１状態となると、熱源回路（60）の高圧側と第１吸着熱交換器（51）の一端が繋がり、熱源回路（60）の低圧側と第２吸着熱交換器（52）の一端が繋がる。また、ブリッジユニット（56）が第２状態となると、熱源回路（60）の高圧側と第２吸着熱交換器（52）の一端が繋がり、熱源回路（60）の低圧側と第１吸着熱交換器（51）の一端が繋がる。
【０１０２】
更に、ブリッジユニット（56）では、各ブリッジ開閉弁（58a,58b,58c,58d）が、休止中の調湿回路（50）と熱源回路（60）の少なくとも高圧側とを遮断するための開閉機構を構成している。
【０１０３】
実施形態２の調湿システム（1）では、ブリッジユニット（56）が第１状態と第２状態との間で交互に切り換わることで、上記実施形態１と同様にして第１動作と第２動作とが切り換えて行われる。その結果、実施形態２の調湿システム（1）では、上記実施形態１と同様に除湿換気運転や加湿換気運転を行うことができる。
【０１０４】
一方、実施形態２の調湿システム（1）の共存運転では、コントローラ（90）が開閉機構としてのブリッジ開閉弁（58a,58b,58c,58d）を制御する。具体的には、例えば第１及び第２調湿ユニット（10a,10b）で調湿動作が行われ、第３調湿ユニット（10c）が休止される共存運転が行われるとする。この場合には、休止中の第３調湿ユニット（10c）のブリッジユニット（56）において、コントローラ（90）は、全てのブリッジ開閉弁（58a,58b,58c,58d）を閉鎖させる。その結果、第３調湿ユニット（10c）の調湿回路（50）と熱源回路（60）とが遮断される。このため、圧縮機（53）で圧縮された冷媒が、高圧ガス配管（65）を経由して第３調湿ユニット（10c）の調湿回路（50）へ送り込まれることが、ブリッジ開閉弁（58a,58b,58c,58d）によって阻止される。
【０１０５】
このようにすると、休止中の調湿回路（50）では、冷媒が溜まり込んでしまうことが回避される。従って、調湿動作中の調湿ユニット（10a,10b）へ充分な冷媒を送ることができる。その結果、これらの調湿ユニット（10a,10b）では、吸着熱交換器（51,52）での吸着剤の吸着能力や再生能力を充分に確保でき、共存運転中にも充分な調湿能力を得ることができる。
【０１０６】
また、休止中の調湿回路（50）では、冷媒が吸着熱交換器（51,52）へ送り込まれないので、この吸着熱交換器（51,52）で冷媒が蒸発してしまうこともない。従って、吸着熱交換器（51,52）の周囲の空気が冷やされて結露水が発生してしまうことを防止でき、ドレンパン等の結露水対策を省略した構成とすることができる。
【０１０７】
なお、上記実施形態２では、休止中の調湿ユニット（10c）において、全てのブリッジ開閉弁（58a,58b,58c,58d）を閉鎖している。しかしながら、熱源回路（60）の高圧側のブリッジ開閉弁（58a,58d）だけを閉鎖させ、熱源回路（60）の低圧側のブリッジ開閉弁（58b,58c）を開放させても良い。また、実施形態２のブリッジユニットでは、ブリッジ開閉弁（58a,58b,58c,58d）を電磁開閉弁で構成しているが、これを開度が調節可能な電動弁（59a,59b,59c,59d）で構成するようにしても良い（図１１を参照）。
【０１０８】
《発明の実施形態３》
本発明の実施形態３について説明する。実施形態３に係る調湿システム（1）は、上記実施形態１や２と冷媒回路（20）及びコントローラ（90）の構成が異なるものである。
【０１０９】
図１２に示すように、実施形態３の各調湿回路（50）には、上記実施形態１の調湿回路（50）にバイパス回路（67）が付与されている。この例のバイパス回路（67）は、一端が第１吸着熱交換器（51）と電動膨張弁（55）との間の配管に接続され、他端が四方切換弁（54）の第２ポートと低圧ガス配管（66）との間の配管に接続されている。
【０１１０】
各バイパス回路（67）には、流入端から流出端に向かって順に、バイパス開閉弁（68）とキャピラリーチューブ（69）とがそれぞれ設けられている。バイパス開閉弁（68）は、電磁開閉弁で構成されている。キャピラリーチューブ（69）は、冷媒の流れに所定の抵抗を付与する抵抗器を構成している。
【０１１１】
実施形態３の調湿システム（1）において、調湿動作中の調湿ユニット（10）では、バイパス回路（67）のバイパス開閉弁（68）が閉鎖状態となる。従って、調湿システム（1）では、上記実施形態１と同様の第１動作と第２動作とが切り換えて行われる。
【０１１２】
一方、実施形態３の調湿システム（1）の共存運転では、コントローラ（90）が四方切換弁（54）とバイパス開閉弁（68）と電動膨張弁（55）とを制御する。具体的には、例えば第１及び第２調湿ユニット（10a,10b）で調湿動作が行われ、第３調湿ユニット（10c）が休止される共存運転が行われるとする。この場合には、休止中の第３調湿ユニット（10c）において、四方切換弁（54）が第１状態に設定され、バイパス開閉弁（68）が開放され、電動膨張弁（55）が全閉状態となる。その結果、高圧ガス配管（65）から第３調湿ユニット（10c）の調湿回路（50）へ流入した冷媒は、第１吸着熱交換器（51）を通過した後、バイパス回路（67）へ流入する。バイパス回路（67）を流れる冷媒は、キャピラリーチューブ（69）で減圧された後、低圧ガス配管（66）へ流入する。
【０１１３】
このようにすると、休止中の調湿回路（50）では、冷媒が熱源回路（60）の低圧側へ戻されるので、この調湿回路（50）での冷媒の寝込みが防止される。従って、調湿動作中の調湿ユニット（10a,10b）へ充分な冷媒を送ることができ、これらの調湿ユニット（10a,10b）で充分な調湿能力を得ることができる。また、冷媒は電動膨張弁（55）及び第２吸着熱交換器（52）をバイパスして低圧ガス配管（66）へ送られるので、第２吸着熱交換器（52）で冷媒が蒸発することがない。従って、第２吸着熱交換器（52）の周囲の空気が冷やされて結露水が発生してしまうことも防止できる。
【産業上の利用可能性】
【０１１４】
以上説明したように、本発明は、冷媒回路に接続された吸着熱交換器で空気の湿度を調節する調湿システムについて有用である。
【図面の簡単な説明】
【０１１５】
【図１】図１は、実施形態１の調湿ユニットの一部を省略して示す概略の平面図、右側面図、及び左側面図である。
【図２】図２は、実施形態１の調湿システムの冷媒回路の構成を示す配管系統図であり、第１動作を示すものである。
【図３】図３は、実施形態１の調湿システムの冷媒回路の構成を示す配管系統図であり、第２動作を示すものである。
【図４】図４は、除湿換気運転の第１動作における空気の流れを示す調湿ユニットの概略の平面図、右側面図、及び左側面図である。
【図５】図５は、除湿換気運転の第２動作における空気の流れを示す調湿ユニットの概略の平面図、右側面図、及び左側面図である。
【図６】図６は、加湿換気運転の第１動作における空気の流れを示す調湿ユニットの概略の平面図、右側面図、及び左側面図である。
【図７】図７は、加湿換気運転の第２動作における空気の流れを示す調湿ユニットの概略の平面図、右側面図、及び左側面図である。
【図８】図８は、単純換気運転における空気の流れを示す調湿ユニットの概略の平面図、右側面図、及び左側面図である。
【図９】図９は、実施形態２の調湿システムの冷媒回路の構成を示す配管系統図であり、第１動作を示すものである。
【図１０】図１０は、実施形態２の調湿システムの冷媒回路の構成を示す配管系統図であり、第２動作を示すものである。
【図１１】図１１は、実施形態２のその他の例の調湿システムの冷媒回路の構成を示す配管系統図である。
【図１２】図１２は、実施形態３の調湿システムの冷媒回路の構成を示す配管系統図である。
【符号の説明】
【０１１６】
1     調湿システム
10    調湿ユニット
20    冷媒回路
51    第１吸着熱交換器
52    第２吸着熱交換器
53    圧縮機
54    四方切換弁（切換機構）
55    膨張弁
56    ブリッジユニット（切換機構）
58    ブリッジ開閉弁（開閉機構）
60    熱源回路
67    バイパス回路
68    バイパス開閉弁
69    キャピラリーチューブ
90    コントローラ（制御手段）
【図１】
2010071592.tif 000003
【図２】
2010071592.tif 000004
【図３】
2010071592.tif 000005
【図４】
2010071592.tif 000006
【図５】
2010071592.tif 000007
【図６】
2010071592.tif 000008
【図７】
2010071592.tif 000009
【図８】
2010071592.tif 000010
【図９】
2010071592.tif 000011
【図１０】
2010071592.tif 000012
【図１１】
2010071592.tif 000013
【図１２】
2010071592.tif 000014